【手続補正書】
【提出日】平成26年1月31日(2014.1.31)
【手続補正１】
【補正対象書類名】特許請求の範囲
【補正対象項目名】全文
【補正方法】変更
【補正の内容】
【特許請求の範囲】
【請求項１】
建物の窓等の開口部に埋め込んで固定される枠体と、
枠体の左右の縦枠間に固定される複数の固定羽根と、
各固定羽根の軸受部に回転自在に軸支され、固定羽根間の隙間部分を開閉する複数の可動羽根と、
枠体の左右の縦枠に配され、各可動羽根の両端を係止して略上下方向の移動によって可動羽根を開閉する連動棒と、
連動棒を操作して可動羽根を開閉するハンドルと、
を備えるガラリにおいて、
可動羽根の全閉時に、固定羽根の立ち上がり部に当接する部分の可動羽根が、固定羽根の立ち上がり部に密接する形状をなしており、
可動羽根の先端に、可動羽根の全閉時に固定羽根に当接して通気を遮断する当接部材が取り付けられ、
固定羽根の立ち上がり部と軸受部との間に凹部が形成されている
ことを特徴とするガラリ。
【請求項２】
建物の窓等の開口部に埋め込んで固定される枠体と、
枠体の左右の縦枠間に固定される複数の固定羽根と、
各固定羽根の軸受部に回転自在に軸支され、固定羽根間の隙間部分を開閉する複数の可動羽根と、
枠体の左右の縦枠に配され、各可動羽根の両端を係止して略上下方向の移動によって可動羽根を開閉する連動棒と、
連動棒を操作して可動羽根を開閉するハンドルと、
を備えるガラリにおいて、
可動羽根の全閉時に、固定羽根の立ち上がり部に当接する部分の可動羽根が、固定羽根の立ち上がり部に密接する形状をなしており、
可動羽根の先端に、可動羽根の全閉時に固定羽根に当接して通気を遮断する当接部材が取り付けられ、
固定羽根の立ち上がり部と軸受部との間に凹部が形成されており、
当該凹部には弾性部材が取り付けられ、
可動羽根の全閉時に、可動羽根の先端部分が、弾性部材に当接することで、
固定羽根の立ち上がり部と軸受部との間に生じる凹部の空間を塞ぐ
ことを特徴とするガラリ。
【請求項３】
建物の窓等の開口部に埋め込んで固定される枠体と、
枠体の左右の縦枠間に固定される複数の固定羽根と、
各固定羽根の軸受部に回転自在に軸支され、固定羽根間の隙間部分を開閉する複数の可動羽根と、
枠体の左右の縦枠に配され、各可動羽根の両端を係止して略上下方向の移動によって可動羽根を開閉する連動棒と、
連動棒を操作して可動羽根を開閉するハンドルと、
を備えるガラリにおいて、
可動羽根の全閉時に、固定羽根の立ち上がり部に当接する部分の可動羽根が、固定羽根の立ち上がり部に密接する形状をなしており、
可動羽根の先端に、可動羽根の全閉時に固定羽根に当接して通気を遮断する当接部材が取り付けられ、
固定羽根の立ち上がり部と軸受部との間に、弾性部材が取り付けられた凹部が形成されており、
可動羽根の先端が、延出した形状をなしており、
可動羽根の全閉時に、当該延出部分が、固定羽根の立ち上がり部と軸受部との間の凹部に取り付けられた弾性部材に当接することで、
固定羽根の立ち上がり部と軸受部との間に生じる凹部の空間を塞ぐ
ことを特徴とするガラリ。
【請求項４】
建物の窓等の開口部に埋め込んで固定される枠体と、
枠体の左右の縦枠間に固定される複数の固定羽根と、
各固定羽根の軸受部に回転自在に軸支され、固定羽根間の隙間部分を開閉する複数の可動羽根と、
枠体の左右の縦枠に配され、各可動羽根の両端を係止して略上下方向の移動によって可動羽根を開閉する連動棒と、
連動棒を操作して可動羽根を開閉するハンドルと、
を備えるガラリにおいて、
可動羽根の全閉時に、固定羽根の立ち上がり部に当接する部分の可動羽根が、固定羽根の立ち上がり部に密接する形状をなしており、
可動羽根の先端に、可動羽根の全閉時に固定羽根に当接して通気を遮断する当接部材が取り付けられ、
固定羽根の立ち上がり部と軸受部との間に、弾性部材が取り付けられた凹部が形成され、
可動羽根の先端が、一部に突起部が設けられた延出した形状をなしており、
可動羽根の全閉時に、当該突起部が、固定羽根の立ち上がり部と軸受部との間の凹部に取り付けられた弾性部材に嵌合することで、
固定羽根の立ち上がり部と軸受部との間に生じる凹部の空間を塞ぐ
ことを特徴とするガラリ。
【請求項５】
可動羽根が、その全閉時に、
固定羽根の立ち上がり部と当接する部分において、固定羽根と密接する第１シール手段と、
先端に取り付けられた当接部材において、固定羽根に当接する第２シール手段と、
先端部分において、固定羽根の立ち上がり部と軸受部の間の凹部に取り付けられた弾性部材と当接する第３シール手段と、
によって通気を遮断する
ことを特徴とする請求項２から請求項４のいずれか一項に記載のガラリ。
【請求項６】
可動羽根が中空に形成されている
ことを特徴とする請求項１から請求項５のいずれか一項に記載のガラリ。
【手続補正２】
【補正対象書類名】明細書
【補正対象項目名】００１１
【補正方法】変更
【補正の内容】
【００１１】
本発明に係るガラリは、
建物の窓等の開口部に埋め込んで固定される枠体と、
枠体の左右の縦枠間に固定される複数の固定羽根と、
各固定羽根の軸受部に回転自在に軸支され、固定羽根間の隙間部分を開閉する複数の可動羽根と、
枠体の左右の縦枠に配され、各可動羽根の両端を係止して略上下方向の移動によって可動羽根を開閉する連動棒と、
連動棒を操作して可動羽根を開閉するハンドルと、
を備えるガラリにおいて、
可動羽根の全閉時に、固定羽根の立ち上がり部に当接する部分の可動羽根が、固定羽根の立ち上がり部に密接する形状をなしており、
可動羽根の先端に、可動羽根の全閉時に固定羽根に当接して通気を遮断する当接部材が取り付けられ、
固定羽根の立ち上がり部と軸受部との間に凹部が形成されている
ことを特徴とする。
【手続補正３】
【補正対象書類名】明細書
【補正対象項目名】００１２
【補正方法】変更
【補正の内容】
【００１２】
本発明に係るガラリは、
建物の窓等の開口部に埋め込んで固定される枠体と、
枠体の左右の縦枠間に固定される複数の固定羽根と、
各固定羽根の軸受部に回転自在に軸支され、固定羽根間の隙間部分を開閉する複数の可動羽根と、
枠体の左右の縦枠に配され、各可動羽根の両端を係止して略上下方向の移動によって可動羽根を開閉する連動棒と、
連動棒を操作して可動羽根を開閉するハンドルと、
を備えるガラリにおいて、
可動羽根の全閉時に、固定羽根の立ち上がり部に当接する部分の可動羽根が、固定羽根の立ち上がり部に密接する形状をなしており、
可動羽根の先端に、可動羽根の全閉時に固定羽根に当接して通気を遮断する当接部材が取り付けられ、
固定羽根の立ち上がり部と軸受部との間に凹部が形成されており、
当該凹部には弾性部材が取り付けられ、
可動羽根の全閉時に、可動羽根の先端部分が、弾性部材に当接することで、
固定羽根の立ち上がり部と軸受部との間に生じる凹部の空間を塞ぐ
ことを特徴とする。
【手続補正４】
【補正対象書類名】明細書
【補正対象項目名】００１３
【補正方法】変更
【補正の内容】
【００１３】
本発明に係るガラリは、
建物の窓等の開口部に埋め込んで固定される枠体と、
枠体の左右の縦枠間に固定される複数の固定羽根と、
各固定羽根の軸受部に回転自在に軸支され、固定羽根間の隙間部分を開閉する複数の可動羽根と、
枠体の左右の縦枠に配され、各可動羽根の両端を係止して略上下方向の移動によって可動羽根を開閉する連動棒と、
連動棒を操作して可動羽根を開閉するハンドルと、
を備えるガラリにおいて、
可動羽根の全閉時に、固定羽根の立ち上がり部に当接する部分の可動羽根が、固定羽根の立ち上がり部に密接する形状をなしており、
可動羽根の先端に、可動羽根の全閉時に固定羽根に当接して通気を遮断する当接部材が取り付けられ、
固定羽根の立ち上がり部と軸受部との間に、弾性部材が取り付けられた凹部が形成されており、
可動羽根の先端が、延出した形状をなしており、
可動羽根の全閉時に、当該延出部分が、固定羽根の立ち上がり部と軸受部との間の凹部に取り付けられた弾性部材に当接することで、
固定羽根の立ち上がり部と軸受部との間に生じる凹部の空間を塞ぐ
ことを特徴とする。
【手続補正５】
【補正対象書類名】明細書
【補正対象項目名】００１４
【補正方法】変更
【補正の内容】
【００１４】
本発明に係るガラリは、
建物の窓等の開口部に埋め込んで固定される枠体と、
枠体の左右の縦枠間に固定される複数の固定羽根と、
各固定羽根の軸受部に回転自在に軸支され、固定羽根間の隙間部分を開閉する複数の可動羽根と、
枠体の左右の縦枠に配され、各可動羽根の両端を係止して略上下方向の移動によって可動羽根を開閉する連動棒と、
連動棒を操作して可動羽根を開閉するハンドルと、
を備えるガラリにおいて、
可動羽根の全閉時に、固定羽根の立ち上がり部に当接する部分の可動羽根が、固定羽根の立ち上がり部に密接する形状をなしており、
可動羽根の先端に、可動羽根の全閉時に固定羽根に当接して通気を遮断する当接部材が取り付けられ、
固定羽根の立ち上がり部と軸受部との間に、弾性部材が取り付けられた凹部が形成され、
可動羽根の先端が、一部に突起部が設けられた延出した形状をなしており、
可動羽根の全閉時に、当該突起部が、固定羽根の立ち上がり部と軸受部との間の凹部に取り付けられた弾性部材に嵌合することで、
固定羽根の立ち上がり部と軸受部との間に生じる凹部の空間を塞ぐ
ことを特徴とする。
【手続補正６】
【補正対象書類名】明細書
【補正対象項目名】００１５
【補正方法】変更
【補正の内容】
【００１５】
本発明に係るガラリは、
可動羽根が、その全閉時に、
固定羽根の立ち上がり部と当接する部分において、固定羽根と密接する第１シール手段と、
先端に取り付けられた当接部材において、固定羽根に当接する第２シール手段と、
先端部分において、固定羽根の立ち上がり部と軸受部の間の凹部に取り付けられた弾性部材と当接する第３シール手段と、
によって通気を遮断する
ことを特徴とする。
【手続補正７】
【補正対象書類名】明細書
【補正対象項目名】００１６
【補正方法】変更
【補正の内容】
【００１６】
本発明に係るガラリは、
可動羽根が中空に形成されている
ことを特徴とする。